(57)【要約】【課題】システム本体に実装する直前に動作確認を行い、輸送中等に故障が発生しても保守に要する時間を短縮することが可能なサーバ、ブレードサーバシステム及び輸送箱を提供する。【解決手段】サーバ３０を運搬する輸送箱２０内に輸送箱２０の開封を検出する開封検出手段２１と、サーバ３０内に設けられた自己診断手段３２を動作させる電池２２と、開封検出手段２１からの検出信号により電池２２から自己診断手段３２に電源を供給するスイッチ２３とを具備する。そして、輸送箱２０の開封時に自己診断手段３２によりサーバ３０の自己診断を行う。また、自己診断結果をサーバ３０の表示手段３４に表示、或いは通信手段３３からシステム本体に送信する。【選択図】図４
2011013952.tif 000002
【特許請求の範囲】
【請求項１】
保守交換又は増設部品を運搬する輸送箱内に、
当該輸送箱の開封を検出する検出手段と、
前記保守交換又は増設部品内に設けられた自己診断手段を動作させる電池と、
前記検出手段からの検出信号により前記電池から前記自己診断手段に電源を供給する手段とを備え、
前記輸送箱の開封時に前記自己診断手段により前記保守交換又は増設部品の自己診断を行うことを特徴とする輸送箱。
【請求項２】
保守交換又は増設部品を運搬する輸送箱内に、
当該輸送箱の開封を検出する検出手段と、
前記保守交換又は増設部品内に設けられた自己診断手段を動作させる電池と、
前記保守交換又は増設部品の状態を表示する表示手段と、
前記保守交換又は増設部品の情報を送信する通信手段と、
前記検出手段からの検出信号により前記電池から前記自己診断手段に電源を供給する手段とを備え、
前記輸送箱の開封時に前記自己診断手段により前記保守交換又は増設部品の自己診断を行うことを特徴とする輸送箱。
【請求項３】
前記表示手段は、前記保守交換又は増設部品の状態に応じて前記自己診断手段の自己診断結果、前記保守交換又は増設部品が実装可能であることを表示することを特徴とする請求項２に記載の輸送箱。
【請求項４】
前記通信手段は、前記自己診断手段の自己診断結果及び内部の記憶手段に記憶している前記保守交換又は増設部品の装置情報を実装するシステム本体に送信することを特徴とする請求項２又は３に記載の輸送箱。
【請求項５】
前記保守交換又は増設部品は、サーバ、ファン又は電源であることを特徴とする請求項１乃至４のいずれか１項に記載の輸送箱。
【請求項６】
外部からの電源供給により自己診断を行う自己診断手段と、
サーバの状態を表示する表示手段と、
サーバの情報を送信する通信手段と、
を備え、システム本体に実装する前に前記自己診断手段により自己診断を行うことを特徴とするサーバ。
【請求項７】
前記表示手段は、サーバの状態に応じて前記自己診断手段の自己診断結果、サーバが実装可能であることを表示することを特徴とする請求項６に記載のサーバ。
【請求項８】
前記通信手段は、前記自己診断手段の自己診断結果及び内部の記憶手段に記憶しているサーバの装置情報をサーバを実装するシステム本体に送信することを特徴とする請求項６又は７に記載のサーバ。
【請求項９】
システム本体のスロットにサーバが実装され、前記サーバが故障又は前記サーバを増設する場合には、保守交換又は増設用のサーバを前記スロットに実装するブレードサーバシステムであって、
前記サーバは、外部からの電源供給により自己診断を行う自己診断手段と、前記サーバの状態を表示するサーバ側表示手段と、前記サーバの情報を送信するサーバ側通信手段と、を有し、
前記システム本体は、システム全体を制御する管理手段と、前記サーバ側通信手段と通信を行うシステム側通信手段と、前記サーバを実装するスロット毎に配置されたシステム側表示手段とを有しており、
前記保守交換又は増設用のサーバを前記システム本体のスロットに実装する場合には、前記システム本体に実装する前に、前記保守交換又は増設用のサーバの前記自己診断手段により自己診断を行い、その自己診断結果を前記サーバ側通信手段により前記システム本体に送信し、
前記システム本体は、前記サーバ側通信手段から送信された前記保守交換又は増設用サーバの自己診断結果が正常であった場合には、当該サーバを実装するスロットの前記システム側表示手段に前記保守交換又は増設用サーバの実装を許可する表示を行うことを特徴とするブレードサーバシステム。
【請求項１０】
前記サーバ側通信手段は、前記保守交換又は増設用サーバの自己診断結果と一緒に前記保守交換又は増設用サーバの装置情報を送信することを特徴とする請求項９に記載のブレードサーバシステム。
【請求項１１】
前記管理手段は、前記スロットに実装された交換前サーバの装置情報を記憶しており、当該交換前サーバの装置情報と前記保守交換又は増設用サーバの装置情報とが一致した場合に前記保守交換又は増設用サーバの実装を許可する表示を行うことを特徴とする請求項９乃至１０のいずれか１項に記載のブレードサーバシステム。
【請求項１２】
前記管理手段は、前記サーバ側通信手段から送信された装置情報と前記スロットに実装された前記保守交換又は増設用サーバの装置情報が一致した場合に当該保守交換又は増設用サーバの電源オンを許可することを特徴とする請求項９乃至１１のいずれか１項に記載のブレードサーバシステム。
【請求項１３】
前記管理手段は、前記スロット毎に配置された前記システム側表示手段の表示を、当該スロットの状態又は当該スロットに実装されたサーバの状態に応じて切り替えることを特徴とする請求項９乃至１２のいずれか１項に記載のブレードサーバシステム。
【請求項１４】
前記サーバの装置情報は、前記サーバのメーカ名、前記サーバの固有の番号、及び装置構成をまとめた構成情報を含むことを特徴とする請求項９乃至１３のいずれか１項に記載のブレードサーバシステム。
【発明の詳細な説明】
【技術分野】
【０００１】
本発明は、サーバ、ブレートサーバシステム及びサーバ等の保守交換又は増設部品等を輸送する輸送箱に関するものである。
【背景技術】
【０００２】
従来、システム停止による影響が大きいユーザにおいては、サーバ等の交換や増設の作業を短時間に確実に行う必要がある。例えば、ブレードサーバシステムにおいては全てのサーバが収納ケース内のミッドプレーンで相互に接続されているため、障害が発生するサーバを収納ケースに実装した場合、システム動作が不安定になったり、性能が低下する等ブレードサーバシステム全体の動作に悪い影響を及ぼす可能性がある。最悪の場合にはシステムダウンに至ることもある。
【０００３】
通常、このようなブレードサーバシステム等においては、故障したサーバを交換したり、或いは新規にサーバを増設する場合には、システム本体にサーバを実装した後に動作を確認している。
【０００４】
例えば、特許文献１には、周辺デバイスカードがＩＣカード使用端末に装着された際に周辺デバイスカードに内蔵する自己診断機能により自己診断を行うことが記載されている（図４〜図６）。
【０００５】
また、特許文献２には、交換用サブユニットのスロットへの挿入時にサブユニット内の自己診断回路を起動して自己診断を行い、交換用サブユニットの動作確認を行うことが記載されている（段落０００９、図４等）。
【先行技術文献】
【特許文献】
【０００６】
【特許文献１】特開２００６−２９３９４３号公報
【特許文献２】特開平０７−１４１０７７号公報
【発明の概要】
【発明が解決しようとする課題】
【０００７】
上述のようにサーバや周辺デバイスカード等はシステム本体に装着してから自己診断を行っており、工場の検査により正常に動作することが確認されたサーバ等が工場から出荷された場合、輸送中等に故障が発生するとサーバ等をシステム本体に実装した後に故障／障害が検出されることになる。そのため、システム本体に実装されてから故障／障害が検出された場合には、更に別のサーバ等に交換する作業が必要になり、その交換と動作確認のための作業時間が余分にかかる。
【０００８】
また、ブレードサーバシステムでは、収納ケース内の全てのサーバ、電源、ファン、管理手段は収納ケース内のミッドプレーンで物理的に接続されているため、故障サーバを収納ケースに実装するとミッドプレーンを介して他のユニットへの影響を避けることはできない。場合によっては、システム全体の動作が不安定になったり、システム全体の動作が低下する等の問題があった。
【０００９】
本発明の目的は、システム本体に実装する直前に動作確認を行い、輸送中等に故障が発生しても保守に要する時間を短縮することが可能なサーバ、ブレードサーバシステム及び輸送箱を提供することにある。
【課題を解決するための手段】
【００１０】
本発明に係る輸送箱は、保守交換又は増設部品を運搬する輸送箱内に、当該輸送箱の開封を検出する検出手段と、前記保守交換又は増設部品内に設けられた自己診断手段を動作させる電池と、前記検出手段からの検出信号により前記電池から前記自己診断手段に電源を供給する手段とを備え、前記輸送箱の開封時に前記自己診断手段により前記保守交換又は増設部品の自己診断を行うことを特徴とする。
【００１１】
また、本発明に係る輸送箱は、保守交換又は増設部品を運搬する輸送箱内に、当該輸送箱の開封を検出する検出手段と、前記保守交換又は増設部品内に設けられた自己診断手段を動作させる電池と、前記保守交換又は増設部品の状態を表示する表示手段と、前記保守交換又は増設部品の情報を送信する通信手段と、前記検出手段からの検出信号により前記電池から前記自己診断手段に電源を供給する手段とを備え、前記輸送箱の開封時に前記自己診断手段により前記保守交換又は増設部品の自己診断を行うことを特徴とする。
【００１２】
また、本発明に係るサーバは、外部からの電源供給により自己診断を行う自己診断手段と、サーバの状態を表示する表示手段と、サーバの情報を送信する通信手段と、を備え、システム本体に実装する前に前記自己診断手段により自己診断を行うことを特徴とする。
【００１３】
また、本発明に係るブレードサーバシステムは、システム本体のスロットにサーバが実装され、前記サーバが故障又は前記サーバを増設する場合には、保守交換又は増設用のサーバを前記スロットに実装するブレードサーバシステムであって、前記サーバは、外部からの電源供給により自己診断を行う自己診断手段と、前記サーバの状態を表示するサーバ側表示手段と、前記サーバの情報を送信するサーバ側通信手段と、を有し、前記システム本体は、システム全体を制御する管理手段と、前記サーバ側通信手段と通信を行うシステム側通信手段と、前記サーバを実装するスロット毎に配置されたシステム側表示手段とを有しており、前記保守交換又は増設用のサーバを前記システム本体のスロットに実装する場合には、前記システム本体に実装する前に、前記保守交換又は増設用のサーバの前記自己診断手段により自己診断を行い、その自己診断結果を前記サーバ側通信手段により前記システム本体に送信し、前記システム本体は、前記サーバ側通信手段から送信された前記保守交換又は増設用サーバの自己診断結果が正常であった場合には、当該サーバを実装するスロットの前記システム側表示手段に前記保守交換又は増設用サーバの実装を許可する表示を行うことを特徴とする。
【発明の効果】
【００１４】
本発明によれば、輸送箱の開封時にサーバ等の保守交換部品や新規増設部品の故障の有無を確認する自己診断を行うため、サーバ等の保守交換部品や新規増設部品が正常であることを確認してからシステム本体に実装することができる。そのため、サーバ等の保守交換部品や新規増設部品の交換に掛かる作業時間を短縮でき、システム全体の稼働率を向上させることが可能となる。
【００１５】
また、システム本体に実装する前にサーバの自己診断を行うため、故障サーバを実装することがなく、システムが不安定になったり、性能が低下する等のシステム障害を事前に防止することが可能となる。
【図面の簡単な説明】
【００１６】
【図１】本発明に係るブレードサーバシステムの一実施形態を示すブロック図である。
【図２】図１のブレードサーバシステムを前面から見た斜視図である。
【図３】図１のブレードサーバシステムを後面から見た斜視図である。
【図４】本発明に係る輸送箱の一実施形態を示すブロック図である。
【図５】本発明に係る輸送箱からサーバを取り出して収納ケースに実装する場合の流れを説明するブロック図である。
【図６】収納ケースに配置された表示手段の表示例を示す図である。
【図７】サーバに配置された表示手段の表示例を示す図である。
【発明を実施するための形態】
【００１７】
次に、発明を実施するための形態について図面を参照して詳細に説明する。図１は本発明に係るブレードサーバシステムの一実施形態の構成を示すブロック図である。また、図２は図１のブレードサーバシステムを前面から見た斜視図、図３はブレードサーバシステムを後面から見た斜視図である。
【００１８】
図中１０は収納ケース、３０はサーバ用スロット１５に実装されるサーバ、４０は収納ケース１０のファン用スロット１７に実装されるファン、５０は収納ケース１０の電源用スロット１９に実装される電源である。これらサーバ３０、ファン４０及び電源５０は故障や新規増設の場合に保守交換部品或いは新規増設部品として収納ケース１０のそれぞれのスロットに実装される。
【００１９】
収納ケース１０の前面には、サーバ３０を実装するための１６個のサーバ用スロット１５−１〜１５−１６と、サーバ用スロット１５−１〜１５−１６の状態や実装されたサーバ３０の状態を表示する１６個の表示手段１４−１〜１４−１６とが配置されている。各表示手段１４は対応するスロット１５の上部に近接して配置されている。また、収納ケース１０の前面には、後述するようにサーバ３０の通信手段３３と通信を行う通信手段１３が配置されている。
【００２０】
収納ケース１０の後面には、ファン４０を実装するための４個のファン用スロット１７−１〜１７−４と、ファン用スロット１７−１〜１７−４の状態や実装されたファン４０の状態を表示する４個の表示手段１６−１〜１６−４とが配置されている。また、電源５０を実装するための４個の電源用スロット１９−１〜１９−４と、電源用スロット１９−１〜１９−４や実装された電源５０の状態を表示する４個の表示手段１８−１〜１８−４とが配置されている。各表示手段１６や各表示手段１８は、各々対応するファン用スロット１７や電源用スロット１９の上部に近接して配置されている。
【００２１】
収納ケース１０の内部には、図１に示すように収納ケース１０内の装置全体の管理を行う管理手段１１と、収納ケース１０内の管理手段１１、全ての表示手段及び全てのスロットとを相互に接続するミッドプレーン１２とが配置されている。通信手段１３は、後述するようにサーバ３０を交換する場合等にサーバ３０内の通信手段３３と通信を行う。このように収納ケース１０内には、サーバ、ファン、電源を実装する複数のスロット、表示手段、管理手段、ミッドプレーン、通信手段等が配置され、ブレードサーバシステムのシステム本体を構成する。
【００２２】
ここで、サーバ３０を輸送する場合には、図２に示すようにサーバ３０は輸送箱２０に梱包して輸送される。図４は本発明に係る輸送箱２０の一実施形態を示すブロック図である。図４に示すように本発明に係る輸送箱２０内には、サーバ３０を取り出すために輸送箱２０の上部が開封されたことを検出する光センサ等からなる開封検出手段２１が配置されている。更に、輸送箱２０内にはサーバ３０を起動して自己診断を実施するための電池２２と、開封検出手段２１からの検出信号によりサーバ３０に電源を供給するスイッチ２３とが配置されている。
【００２３】
サーバ３０の前面には、図２に示すようにサーバ３０の状態を表示する表示手段３４が配置され、サーバ３０の内部には収納ケース１０の通信手段１３と通信を行う通信手段３３が配置されている。サーバ３０の後面には図４に示すように収納ケース１０にサーバ３０を実装した時に収納ケース１０のミッドプレーン１２と接続するための接続手段３５が配置されている。サーバ３０の内部には、図４に示すようにサーバ３０全体の制御を行う制御手段３１と、サーバ３０に異常な部分がないかどうか自己診断を実施するための自己診断手段３２とが配置されている。
【００２４】
図５は本発明に係る輸送箱２０からサーバ３０を取り出して収納ケース１０に実装する場合の流れをまとめて示す。図５に示すように収納ケース１０の管理手段１１の内部には、収納ケース１０に実装されている全てのサーバ３０の装置情報を記憶する記憶部１１１が配置されている。サーバ３０の制御手段３１の内部には、サーバ３０の装置情報を記憶する記憶部３１１が配置されている。
【００２５】
次に、収納ケース１０に実装されたサーバ３０が故障して保守交換用のサーバ３０と交換する場合の動作を図６、図７を参照して説明する。図６は収納ケース１０に配置された表示手段１４の表示例を示す図、図７はサーバ３０に配置された表示手段３４の表示例を示す図である。
【００２６】
例えば、図６に示すように収納ケース１０（サーバ用スロット）の表示手段１４が赤色で点灯している場合には実装されたサーバが故障していることを表す。また、例えば、図７に示すようにサーバの表示手段３４が赤色に点灯している場合には自己診断でサーバの異常が検出されたことを表す。なお、図６、図７は表示手段の表示例であり、本発明はこれに限ることはない。
【００２７】
まず、収納ケース１０に実装されたサーバ３０のうちいずれかのサーバ３０が故障すると、故障サーバ３０からミッドプレーン１２を介して管理手段１１に故障したことが通知される。管理手段１１はサーバ３０から故障通知を受信すると、図６に示すように故障したサーバ３０が実装されているサーバ用スロット１５の上部に配置された表示手段１４の表示をサーバ３０が正常動作中であることを示す白色からサーバ３０が故障したことを示す赤色に変えるように制御する。
【００２８】
表示手段１４の表示は管理手段１１の制御により白色から赤色に変更され、同時に管理手段１１から保守員に対してメール等の方法によりサーバ３０の故障を通報する。この時、保守員には管理手段１１の記憶部１１１に記録されている故障したサーバ３０の装置情報が通知される。
【００２９】
サーバ３０の装置情報には、例えば、サーバ３０のメーカ名、サーバ３０の機種を示す型番、サーバ３０本体に固有に付与された製造番号、ＣＰＵ・メモリ・ハードディスク・増設カードの装置構成をまとめた情報等が含まれている。
【００３０】
保守員はサーバ３０の故障の通報を受信すると、故障したサーバ３０の装置情報からサーバ３０のメーカ名、型番、装置構成等を確認し、故障サーバ３０と同等の保守交換用サーバ３０（輸送箱２０）を準備して故障したサーバ３０が実装されている収納ケース１０の前に移動させる。次いで、保守員は収納ケース１０のサーバ用スロット１５の上部にある表示手段１４を確認し、表示手段１４が赤色に点灯しているサーバ用スロット１５から故障したサーバ３０を取り外す。
【００３１】
サーバ用スロット１５から故障サーバ３０が取り出されると、管理手段１１はサーバ３０が取り外されたことを検出し、取り外されたサーバ用スロット１５の上部にある表示手段１４の表示をサーバ３０の実装待ちであることを示す黄色に変えるように制御する。表示手段１４の表示は管理手段１１の制御により赤色から黄色に変更される。管理手段１１の記憶部１１１に記録されている故障サーバ３０の装置情報は、サーバ用スロット１５に新たにサーバ３０が実装されるまでの間保存される。
【００３２】
保守員は故障したサーバ３０と同等の保守交換用サーバ３０が入った輸送箱２０を収納ケース１０の近くに移動させ、輸送箱２０からサーバ３０を取り出すために輸送箱２０を開封する。サーバ３０の入った輸送箱２０が開封されると、輸送箱２０内の開封検出手段２１である光センサにより輸送箱２０が開封されたことが検出され、その検出信号によりスイッチ２３がオンとなる。スイッチ２３がオンになると、電池２２からサーバ３０に対して電源が供給される。
【００３３】
電池２２からサーバ３０に電源が供給されると、サーバ３０内の制御手段３１は自己診断手段３２を起動する。サーバ３０の制御手段３１は自己診断手段３２を起動すると同時に、サーバ３０の表示手段３４の表示を図７に示すようにサーバ３０が未使用状態であることを示す消灯の状態から、サーバ３０が自己診断中であることを示す黄色の表示に変更するように制御する。
【００３４】
サーバ３０の表示手段３４は制御手段３１の制御により表示が消灯から黄色の点灯に変更される。一方、自己診断手段３２は制御手段３１により起動されると、サーバ３０の自己診断を開始し、自己診断手段３２は自己診断が終了すると自己診断結果をサーバ３０の制御手段３１に通知する。
【００３５】
サーバ３０の制御手段３１は自己診断手段３２から自己診断結果を受け取り、サーバ３０が正常である場合には、サーバ３０の通信手段３３に対して自己診断結果と制御手段３１の記憶部３１１に記録されているサーバ３０の装置情報とを一緒に送信する。サーバ３０の制御手段３１は通信手段３３に通知すると同時に、サーバ３０の表示手段３４の表示を図７に示すように自己診断でサーバ３０が正常であったことを示す青色に変更するように制御する。サーバ３０の表示手段３４は制御手段３１の制御により表示が黄色から青色に変更される。
【００３６】
サーバ３０の通信手段３３はサーバ３０の自己診断結果と装置情報を収納ケース１０の通信手段１３に送信し、通信手段１３から管理手段１１にサーバ３０の自己診断結果と装置情報を通知する。サーバ３０の通信手段３３と収納ケース１０の通信手段１３とは無線等により通信を行う。
【００３７】
収納ケース１０の管理手段１１はサーバ３０から受信した自己診断結果が正常であれば、サーバ３０から送られてきた装置情報と管理手段１１の記憶部１１１に記録している故障サーバ３０の装置情報のうちメーカ名、型番、装置構成を確認し、この全てが一致することを確認すると、収納ケース１０の通信手段１３に対して準備したサーバ３０が実装可能であることを通知する。
【００３８】
管理手段１１は収納ケース１０の通信手段１３に通知すると同時に収納ケース１０のサーバ用スロット１５の表示手段１４の表示を準備したサーバ３０が実装可能であることを示す緑色に変えるように制御する。表示手段１４の表示は管理手段１１からの制御により表示を黄色から緑色に変更される。
【００３９】
また、収納ケース１０の管理手段１１からサーバ３０が実装可能であることは、収納ケース１０の通信手段１３からサーバ３０の通信手段３３を通してサーバ３０の制御手段３１に通知される。サーバ３０の制御手段３１は収納ケース１０の管理手段１１からサーバ３０が実装可能であること受信すると、図７に示すようにサーバ３０の表示手段３４の表示をサーバ３０が収納ケース１０に実装可能であることを示す緑色の表示に変更するように制御する。サーバ３０の表示手段３４の表示は制御手段３１の制御により青色から緑色に変更される。
【００４０】
保守員は収納ケース１０のサーバ用スロット１５の表示手段１４と、交換のために準備したサーバ３０の表示手段３４の両方が緑色になっていることを確認すると、準備した保守交換用のサーバ３０を収納ケース１０の表示手段１４が緑色に点灯しているサーバ用スロット１５に実装する。
【００４１】
サーバ３０がサーバ用スロット１５に正しく実装されると、収納ケース１０の管理手段１１は実装されたサーバ３０の装置情報をミッドプレーン１２を介して取得し、事前に実装許可を与えたサーバ３０の装置情報と実装されたサーバ３０の装置情報とを比較する。メーカ名、型番、製造番号、装置構成の全ての情報が完全に一致することを確認すると、サーバ３０の電源オンを許可する。
【００４２】
管理手段１１はサーバ３０の電源オンを許可すると同時に実装されたサーバ３０の表示手段３４と、実装された収納ケース１０のサーバ用スロット１５の表示手段１４の両方に表示を正常動作中であることを示す白色に変えるように制御する。収納ケース１０の表示手段１４とサーバ３０の表示手段３４は管理手段１１の制御により表示が白色に変更され、サーバの交換が終了する。
【００４３】
一方、制御手段３１は自己診断手段３２から受け取った自己診断結果が異常であった場合には、サーバ３０の表示手段３４の表示を自己診断で異常が検出されたことを示す赤色に変更するように制御する。サーバ３０の表示手段３４の表示は制御手段３１の制御により黄色から赤色に変更される。
【００４４】
その際、保守員はサーバ３０の表示手段３４が赤色になっていることを確認して準備したサーバ３０が異常であることが分かり次第、別のサーバ３０、即ち、別の輸送箱２０を準備し、同様に輸送箱２０の開封時にサーバ３０の自己診断を行う。サーバ３０の自己診断終了後の動作は先の説明と同様である。
【００４５】
このように本実施形態では、サーバを収納ケースに実装する直前の輸送箱を開封する時に、自動的にサーバの故障の有無の確認する自己診断を行うため、サーバが正常であることを確認してから収納ケースに実装することができる。従って、サーバの交換にかかる作業時間を短縮できると共に、ブレードサーバシステム全体の稼働率を向上できる。また、サーバの故障の有無を事前に自動的に確認するため、故障サーバを収納ケースに実装することによって発生するシステムの不安定、或いはシステムダウンの発生などの問題を回避することができる。
【００４６】
なお、以上の実施形態では、故障サーバを保守交換部品である新しいサーバに交換する例を挙げて説明したが、新規増設部品としてサーバを増設する場合も全く同様の方法で増設を行う。
【００４７】
また、保守交換部品として交換するユニットがサーバではなく、例えば、ファンや電源等の場合も全く同様に交換することができる。その際、ファン／電源等内部に外部からの電源で起動する自己診断回路、ファン／電源と収納ケースとの間を無線で通信する通信手段、ファン／電源等の状態を表示する表示手段等を実装する。一方、輸送箱には同様に開封検出手段２１、電池２２、スイッチ２３等を搭載し、輸送箱２０の開封時に自己診断を行うことで、サーバ交換の場合と全く同様に交換作業を行うことができる。ファンや電源等を新規増設する場合も同様である。
【符号の説明】
【００４８】
１０  収納ケース
１１  管理手段
１２  ミッドプレーン
１３  通信手段
１４−１〜１４−１６  表示手段
１５−１〜１５−１６  サーバ用スロット
１６−１〜１６−４  表示手段
１７−１〜１７−４  ファン用スロット
１８−１〜１８−４  表示手段
１９−１〜１９−４  電源用スロット
２０  輸送箱
２１  開封検出手段
２２  電池
２３  スイッチ
３０  サーバ
３１  制御手段
３２  自己診断手段
３３  通信手段
３４  表示手段
３５  接続手段
４０  ファン
５０  電源
【図１】
2011013952.tif 000003
【図２】
2011013952.tif 000004
【図３】
2011013952.tif 000005
【図４】
2011013952.tif 000006
【図５】
2011013952.tif 000007
【図６】
2011013952.tif 000008
【図７】
2011013952.tif 000009